(57)【要約】【課題】ラッチ装置の幅を狭く形成することで、細いフレームを用いて扉を構成できるようにするとともに、フレームの表面側にガラスを有する扉に容易に設けることのできる家具における扉のラッチ装置を提供すること。【解決手段】扉２を構成するガラス部６の裏面側外周部が少なくとも１本の杆材７で支持され、前記杆材７の裏面側には、前記ラッチ杆８ａ、８ｂが前記杆材７の長手方向に沿うように回動可能に取り付けられ、かつ前記杆材７の表面側には、前記ガラス部６を介して前記杆材７の長手方向に沿う引手部材４が前方に突出するように取り付けられるとともに、該引手部材４と前記ガラス部６および前記杆材７には、前記杆材７の裏面に貫通する貫通孔４ａ、６ｃ、７ａ、７ｂが設けられ、該貫通孔内４ａ、６ｃ、７ａ、７ｂには前記ラッチ杆７に回動を与えるべく連係された操作ロッド２０が前後方向に可動可能に挿通されるようにラッチ装置を構成する。【選択図】  図３
2004300771.tif 000002
【特許請求の範囲】
【請求項１】
両端部に家具本体の係合部に係合し得るラッチ爪を有するラッチ杆が、家具本体に開閉自在に枢着された扉の裏面に前記係合方向に回動付勢状態で軸支され、前記扉には、ラッチ杆に回動を与えるべく連係された操作部が設けられた家具における扉のラッチ装置であって、前記扉を構成するガラス部の裏面側外周部が少なくとも１本の杆材で支持され、前記杆材の裏面側には、前記ラッチ杆が前記杆材の長手方向に沿うように回動可能に取り付けられ、かつ前記杆材の表面側には、前記ガラス部を介して前記杆材の長手方向に沿う引手部材が前方に突出するように取り付けられるとともに、該引手部材と前記ガラス部および前記杆材には、前記杆材の裏面に貫通する貫通孔が設けられ、該貫通孔内には前記ラッチ杆に回動を与えるべく連係された操作ロッドが前後方向に可動可能に挿通されたことを特徴とする家具における扉のラッチ装置。
【請求項２】
前記ガラス部に設けられた貫通孔が、略円形の孔である請求項１に記載の家具における扉のラッチ装置。
【請求項３】
キー操作によって前記杆材裏面側でスライドするスライド部材を有し、該スライド部材のスライドにより前記ラッチ杆の回動を可能または不能とするロック装置が、前記杆材の裏面に設けられ、かつ前記スライド部材のスライド方向が前記杆材の長手方向に沿うようになっている請求項１または２に記載の家具における扉のラッチ装置。
【請求項４】
前記ラッチ杆と前記操作ロッドの間には、ラッチ杆と連動する受け材が設けられており、該受け材と当接する前記操作ロッドの先端部が、所定の曲率を持つ略円形状をしている請求項１ないし３の何れかに記載の家具における扉のラッチ装置。
【請求項５】
前記受け材が、前記ラッチ杆に対して移動調節可能になっている請求項４に記載の家具における扉のラッチ装置。
【発明の詳細な説明】
【０００１】
【発明の属する技術分野】
本発明は、家具における扉のラッチ装置に関する。
【０００２】
【従来の技術】
従来の家具における扉のラッチ装置は、扉の前面側に突設させた把手の両側面を片手で挟むなどすることによって、把手の一側面を構成するレバーの前部が押圧され、レバーの後部がラッチ杆を回動させ、ラッチ爪と家具本体の係合部との係合が解除されるようになっているものがある。（例えば、特許文献１参照）
【０００３】
【特許文献１】
特開平９−１２５７８７号公報（第２頁、第３図）
【０００４】
【発明が解決しようとしている課題】
書棚等の家具の場合、内部が見えるように、フレームにガラスを嵌め込んだ扉を設けることがあり、このような要求に応えるには、内部をよく見えるようにするために、細いフレームを用いて、ガラスの面積を広く構成させる必要があるとともに、扉が全てガラスで出来たような印象を与える方が扉の美観を向上させ得る。
【０００５】
しかしながら、特許文献１の把手の構造では、ラッチ装置のレバーが、扉の裏面側に貫通する貫通穴内に設けられたピボットに枢着され、かつレバーが扉に対して横方向に動くようになっているため、ラッチ装置の左右方向の幅を広く形成する必要があり、従来のようなラッチ装置をガラスで構成された扉に取り付けるには、フレームの幅を広く形成させるとともに、貫通穴を大きく開ける必要があるので、把手が取り付けられるガラスの端縁に、そのような大きな穴を開けるとガラスが破損しやすくなる恐れがある。
【０００６】
本発明は、このような問題点に着目してなされたもので、ラッチ装置の幅を狭く形成することで、細いフレームを用いて扉を構成できるようにするとともに、フレームの表面側にガラスを有する扉に容易に設けることのできる家具における扉のラッチ装置を提供することを目的とする。
【０００７】
【課題を解決するための手段】
上記の目的を解決するために、本発明の家具における扉のラッチ装置は、両端部に家具本体の係合部に係合し得るラッチ爪を有するラッチ杆が、家具本体に開閉自在に枢着された扉の裏面に前記係合方向に回動付勢状態で軸支され、前記扉には、ラッチ杆に回動を与えるべく連係された操作部が設けられた家具における扉のラッチ装置であって、前記扉を構成するガラス部の裏面側外周部が少なくとも１本の杆材で支持され、前記杆材の裏面側には、前記ラッチ杆が前記杆材の長手方向に沿うように回動可能に取り付けられ、かつ前記杆材の表面側には、前記ガラス部を介して前記杆材の長手方向に沿う引手部材が前方に突出するように取り付けられるとともに、該引手部材と前記ガラス部および前記杆材には、前記杆材の裏面に貫通する貫通孔が設けられ、該貫通孔内には前記ラッチ杆に回動を与えるべく連係された操作ロッドが前後方向に可動可能に挿通されたことを特徴としている。
この特徴によれば、ラッチ杆が杆材の長手方向に沿うように取り付けられていることで、ラッチ杆が杆材により隠蔽されるようになり、ガラス部で構成された扉の美観を損ねることなくラッチ杆を設けることができるとともに、操作ロッドの前後方向の動きで、ラッチ杆を回動させるので、ラッチ装置の幅を狭く形成させることができ、細い杆材を用いて扉を構成させることができる。また、操作ロッドをガラス部に挿通させるための貫通孔が小さくて済むようになり、ガラス部の加工が容易になる。
【０００８】
本発明の家具における扉のラッチ装置は、前記ガラス部に設けられた貫通孔が、略円形の孔であることが好ましい。
このようにすれば、ガラス部の加工が容易になるとともに、貫通孔の周辺が欠けたりしないので、貫通孔からガラス部の破損が生じることを防止できる。
【０００９】
本発明の家具における扉のラッチ装置は、キー操作によって前記杆材裏面側でスライドするスライド部材を有し、該スライド部材のスライドにより前記ラッチ杆の回動を可能または不能とするロック装置が、前記杆材の裏面に設けられ、かつ前記スライド部材のスライド方向が前記杆材の長手方向に沿うようになっていることが好ましい。
このようにすれば、スライド部材のスライド方向が杆材の裏面側に長手方向に沿うように設けられていることにより、スライド部材を杆材によって隠蔽させることができる。
【００１０】
本発明の家具における扉のラッチ装置は、前記ラッチ杆と前記操作ロッドの間には、ラッチ杆と連動する受け材が設けられており、該受け材と当接する前記操作ロッドの先端部が、所定の曲率を持つ略円形状をしていることが好ましい。
このようにすれば、操作ロッドの前後方向の動きを、ラッチ杆の回動の動きにスムーズに換えることができるようになる。
【００１１】
本発明の家具における扉のラッチ装置は、前記受け材が、前記ラッチ杆に対して移動調節可能になっていることが好ましい。
このようにすれば、ラッチ装置を組み立てる際に、ラッチ杆と操作ロッドの間の受け材を調整することで、ラッチ杆と操作ロッドの連係を調整できるようになり、操作ロッドの前後のストロークとラッチ装置の開閉のタイミングの調整ができるようになる。
【００１２】
【発明の実施形態】
以下、本発明の実施例を図面に基づいて説明すると、先ず図１は、本発明の扉のラッチ装置が適用されたキャビネットの正面図であり、図２は、ガラス扉の裏面の要部拡大図であり、図３は、ラッチ装置の図２におけるＡ−Ａ断面図であり、図４は、ガラス扉の開口部上端の係合部の拡大図であり、図５（ａ）は、図２のＢ−Ｂ断面におけるラッチ装置の係合状態を示す図であり、図５（ｂ）は、ラッチ装置の開放状態を示す図である。
【００１３】
図１の符号１は、本発明の実施例としてのキャビネットであり、このキャビネット１における本体前面の開口部の左右両側部には、片開き式のガラス扉２、２’が取り付けられている。両ガラス扉２、２’は同一構成なので一方のガラス扉２に付き説明する。
【００１４】
ガラス扉２は外側端が、蝶番３により前方向に回動自在に枢着されており、このガラス扉２は、ガラス部としての方形板状のガラス板６と、このガラス板６の裏面側外周部に取り付けられたアルミニウム合金等の材質で構成された上下左右の４本の杆材７、７’、７’’、７’’’で構成されている。
【００１５】
ガラス板６がガラス扉２に設けられていることによって、ガラス扉２が閉じた状態で、キャビネット１内部の収納物が見えるようになっている。また、蝶番３の反対側に位置する杆材７の表面側には、ガラス板６を介して引手部材４が取り付けられており、引手部材４の上部には、ロック装置５が設けられている。
【００１６】
本発明の扉のラッチ装置について図２から図３を用いて詳述すると、図２は、ガラス扉２を裏面から見た図であり、蝶番３の反対側に位置する杆材７の裏面側には、ラッチ杆８ａ、８ｂが杆材７の上下方向に沿うように取り付けられている。
【００１７】
このラッチ杆８ａ、８ｂは杆材７の裏面に固着された支持部材９ａ、９ｂによって、杆材７に回動自在に取り付けられており、また、ラッチ杆８ａ、８ｂの上下両端部にはラッチ爪１０ａ、１０ｂが固着されている。このようにラッチ杆８ａ、８ｂが杆材７の裏面側に延びており、この杆材７で隠蔽されているため、ガラス板６で構成されたガラス扉２の美観を損ねることなくラッチ杆８ａ、８ｂを設けることができる。
【００１８】
図３は、図２のＡ−Ａ断面を側面から見た図であり、この図３に示すように、ガラス扉２の杆材７の内部は空洞になっており、杆材７の裏面側には、カバー体１１が取り付けられている。このカバー体１１の内部には取付板１２が設けられており、この取付板１２は、ビス１３ａ、１３ｂを介して杆材７に取り付けられている。取付板１２より後方に突設された上下の支持片１２ａ、１２ｂの間には、略円筒形状の回動筒１４が枢支されており、この回動筒１４の上下には、上述したラッチ杆８ａ、８ｂが嵌合されている。
【００１９】
図２に示すように、回動筒１４には、押圧片１４ａが延設されており、取付板１２からは固定片１２ｃが突設されている。これら押圧片１４ａと固定片１２ｃとの間には、バネ１５が設けられており、このバネ１５の一端は押圧片１４ａに係止され、他端は固定片１２ｃに係止されている。また、取付板１２には、挿通孔１２ｄが形成されており、後述する回動筒１４から突設された係止片１４ｂが挿通できるようになっている。
【００２０】
図３に示す引手部材４の上方には、略円筒形状のロック装置５が設けられており、このロック装置５は、キー２３を差し込んで回動操作することによって、上下方向にスライドするスライド部材１７を有している。このスライド部材１７は、取付板１２の挿通孔１２ｄの位置まで下げられるようになっている。
【００２１】
スライド部材１７が、杆材７の上下方向に沿うように設けられていることで、スライド部材１７を杆材によって隠蔽させることができるので、ガラス扉２の表面側からスライド部材１７が見えなくなり、ガラス扉２の美観が向上するようになる。
【００２２】
図３に示すように、ガラス扉２の杆材７に支持されたガラス板６の表面側には、引手部材４が２本のビス１３ｂ、１３ｃにより固着されており、ビス１３ｂ、１３ｃは杆材７の表面側と裏面側に形成された貫通孔７ｃ、７ｄ、７ｅ、７ｆと、ガラス板６に形成された貫通孔６ａ、６ｂに挿通されている。
【００２３】
この引手部材４は、ガラス板６を介して杆材７の長手方向に沿うように前方に突出して取り付けられており、そのためガラス板６が杆材７と引手部材４との間に挟まれることになり、引手部材４を掴んでガラス扉２を開閉する際に、ガラス板６が破損する恐れがなくなるので、引手部材４を頑丈にガラス扉２に取り付けることができる。
【００２４】
図３に示す引手部材４の上部に形成された貫通孔４ａには、操作ロッド２０が設けられており、この操作ロッド２０はガラス板６に形成された貫通孔６ｃと、杆材７の表面側と裏面側に形成された貫通孔７ａ、７ｂに前後方向を向いて挿設されて、杆材７の裏側に貫通されている。
【００２５】
操作ロッド２０は、引手部材４の貫通孔４ａ内部の圧縮バネ２１により、常時外方に向かって付勢されており、操作ロッド２０の端部に形成されたボタン２０ａが引手部材４より前方に突出されている。そのためガラス扉２を開くときに、操作ロッド２０のボタン２０ａが押しやすくなっている。
【００２６】
回動筒１４の押圧片１４ａには、受け材２２が取り付けられており、操作ロッド２０の先端部２０ｂが受け材２２に当接されている。この受け材２２は略ビス状をしており、受け材２２の螺入具合を変えることで、回動筒１４と操作ロッド２０の連係を調整させることができる。ラッチ装置を組み立てる際に、この受け材２２を移動調整することで、操作ロッド２０の前後のストロークとラッチ装置の開閉のタイミングの調整ができるようになっている。
【００２７】
上述した上下のラッチ爪１０ａ、１０ｂの内、上方のラッチ爪１０ａについて図４を用いて詳述すると、このラッチ爪１０ａはキャビネット１の開口部前面側の上端に設けられた窓部１８内に挿通可能になっており、この窓部１８内に固定された係合部としての係合片１９に対して係脱可能に設けられている。
【００２８】
下方のラッチ爪１０ｂについても同一構成になっており、ガラス扉２が閉じられたときには、これらのラッチ爪１０ａ、１０ｂは窓部１８内の係合片１９に係合されているので、ガラス扉２は容易に開かないようになっている。そのため地震等によりキャビネット１が揺れても、ガラス扉２が開くことないので、収納物が落下しないようになる。
【００２９】
図５（ａ）（ｂ）は、図２のＢ−Ｂ断面を上方から見た図であり、この図５（ａ）に示されるように、ガラス板６の外周縁は、杆材７の係合条２４によって保持されている。操作ロッド２０はガラス板６と、杆材７の表面側と裏面側に開けられた３つの貫通孔６ｃ、７ａ、７ｂに挿設されている。
【００３０】
次に、通常の状態において操作ロッド２０は、図５（ａ）に示すように、圧縮バネ２１の弾性により、操作ロッド２０のボタン２０ａが引手部材４より突出するようになっている。ここで、ガラス扉２は閉じられた状態であり、上述したラッチ爪１０ａ、１０ｂは窓部１８内の係合片１９に係合されている。
【００３１】
そして、ガラス扉２を開放するときには、先ず、引手部材４を片手で掴み操作ロッド２０のボタン２０ａを指で押圧する。図５（ｂ）に示されるように、ボタン２０ａが矢印方向に押圧されると、操作ロッド２０の先端部２０ｂが押圧片１４ａに螺合された受け材２２を押圧し、回動筒１４が回動される。
【００３２】
この回動筒１４の回動とともに、ラッチ杆８ａ、８ｂが回動されるので、ラッチ爪１０ａ、１０ｂが矢印の方向に回動するようになり、ラッチ爪１０ａ、１０ｂが上述した窓部１８内の係合片１９から逸脱されるので、ガラス扉２が開放可能になる。ボタン２０ａの押圧をやめることでラッチ爪１０ａ、１０ｂは、バネ１５の付勢により自動的に元の状態になり、操作ロッド２０も圧縮バネ２１の付勢によって元の位置に戻るようになる。
【００３３】
また、操作ロッド２０の先端部２０ｂは、所定の曲率を持つ半球形状をしており、操作ロッド２０が回動筒１４の押圧片１４ａの受け材２２を押圧する際に、操作ロッド２０の前後方向の動きを、回動筒１４の回動の動きにスムーズに換えることができるようになっている。ガラス扉２を閉めるときには、ボタン２０ａに触れずに、ガラス扉２を閉じるだけで、ラッチ爪１０ａ、１０ｂは、自動的に係合片１９に係合されるようになっている。
【００３４】
更に、図５（ａ）に示されるように、杆材７と取付板１２との間には、空間部２５が形成されており、この空間部２５には、上述したロック装置５のスライド部材１７が、上方から挿入できるようになっている。回動筒１４には、ロック装置５のスライド部材１７に係止される係止片１４ｂが突設されている。
【００３５】
ガラス扉２の施錠の際には、開放状態のロック装置５に、キー２３を差し込み回動することにより、スライド部材１７が下方にスライドして空間部２５内に挿入される。そのため回動筒１４の係止片１４ｂがスライド部材１７に当接されるようになり、操作ロッド２０のボタン２０ａを押圧しても回動筒１４が回動しなくなるので、ガラス扉２が開放できないようになる。
【００３６】
このように本発明の扉のラッチ装置にあっては、操作ロッド２０の前後方向の動きで、ラッチ杆８ａ、８ｂを回動させるので、ラッチ装置の幅を狭く形成することができるようになり、細い杆材７を用いてガラス扉２を構成させることができるようになる。
【００３７】
また、操作ロッド２０をガラス扉のガラス板６に挿通させるために、略円形状の小径の貫通孔６ｃをガラス板６に形成するだけで済むようになるので、ラッチ装置を構成するためのガラス板６の加工が容易になるとともに、貫通孔６ｃが略円形状をしていることにより、貫通孔６ｃからガラス板６の破損が生じることを防止できる。
【００３８】
更に、本発明のラッチ装置の構成ならば、ガラス板６に設けられる操作ロッド２０を挿通させる貫通孔６ｃと、引手部材４の取付用のビス１３ｂ、１３ｃを挿通させる貫通孔６ａ、６ｂと、ロック装置５を挿通させる貫通孔６ｄの全てを略円形状に形成できるので、ガラス板６の加工が容易となるとともに、ガラス板６の破損が生じやすいガラス板６の外周に、大きな孔を開けることなくラッチ装置と引手部材４を設けることができ、ガラス扉２が長期間の使用に耐えられるようになる。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
【発明の効果】
本発明は以下の効果を奏する。
【００４１】
（ａ）請求項１に記載の発明によれば、ラッチ杆が杆材の長手方向に沿うように取り付けられていることで、ラッチ杆が杆材により隠蔽されるようになり、ガラス部で構成された扉の美観を損ねることなくラッチ杆を設けることができるとともに、操作ロッドの前後方向の動きで、ラッチ杆を回動させるので、ラッチ装置の幅を狭く形成させることができ、細い杆材を用いて扉を構成させることができる。また、操作ロッドをガラス部に挿通させるための貫通孔が小さくて済むようになり、ガラス部の加工が容易になる。
【００４２】
（ｂ）請求項２に記載の発明によれば、ガラス部の加工が容易になるとともに、貫通孔の周辺が欠けたりしないので、貫通孔からガラス部の破損が生じることを防止できる。
【００４３】
（ｃ）請求項３に記載の発明によれば、スライド部材のスライド方向が杆材の裏面側に長手方向に沿うように設けられていることにより、スライド部材を杆材によって隠蔽させることができる。
【００４４】
（ｄ）請求項４に記載の発明によれば、操作ロッドの前後方向の動きを、ラッチ杆の回動の動きにスムーズに換えることができるようになる。
【００４５】
（ｅ）請求項５に記載の発明によれば、ラッチ装置を組み立てる際に、ラッチ杆と操作ロッドの間の受け材を調整することで、ラッチ杆と操作ロッドの連係を調整できるようになり、操作ロッドの前後のストロークとラッチ装置の開閉のタイミングの調整ができるようになる。
【図面の簡単な説明】
【図１】本発明の扉のラッチ装置が適用されたキャビネットの正面図である。
【図２】ガラス扉の裏面の要部拡大図である。
【図３】ラッチ装置の図２におけるＡ−Ａ断面図である。
【図４】ガラス扉の開口部上端の係合部の拡大図である。
【図５】（ａ）は、図２のＢ−Ｂ断面におけるラッチ装置の係合状態を示す図であり、（ｂ）は、ラッチ装置の開放状態を示す図である。
【符号の説明】
１                キャビネット
２、２’          ガラス扉
３                蝶番
４                引手部材
４ａ              貫通孔
５                ロック装置
６                ガラス板
６ａ、６ｂ        貫通孔
６ｃ、６ｄ        貫通孔
７、７’          杆材
７’’、７’’’  杆材
７ａ、７ｂ        貫通孔
７ｃ、７ｄ        貫通孔
７ｅ、７ｆ        貫通孔
８ａ、８ｂ        ラッチ杆
９ａ、９ｂ        支持部材
１０ａ、１０ｂ    ラッチ爪
１１              カバー体
１２              取付板
１２ａ、１２ｂ    支持片
１２ｃ            固定片
１２ｄ            挿通孔
１３ａ、１３ｂ    ビス
１３ｃ            ビス
１４              回動筒
１４ａ            押圧片
１４ｂ            係止片
１５              バネ
１７              スライド部材
１８              窓部
１９              係合片
２０              操作ロッド
２０ａ            ボタン
２０ｂ            先端部
２１              圧縮バネ
２２              受け材
２３              キー
２４              係合条
２５              空間部
【図１】
2004300771.tif 000003
【図２】
2004300771.tif 000004
【図３】
2004300771.tif 000005
【図４】
2004300771.tif 000006
【図５】
2004300771.tif 000007